(57)【要約】【課題】ユーザが望む情報を表示することが可能な技術を提供する。【解決手段】情報を提供する情報提供元から情報を取得して外部の情報表示装置に送信する携帯端末と、該受信した情報を表示する情報表示装置とを含む情報表示システムであって、前記携帯端末は、前記取得する情報の種別を選択可能な選択手段と、前記選択手段により選択された種別に関連付けられた情報提供元から情報を取得する取得手段と、前記取得した情報を情報表示装置に送信する送信手段と、を備え、前記情報表示装置は、前記携帯端末から情報を受信する受信手段と、前記受信した情報を表示する表示手段と、を備えている。【選択図】図１
2014035613.tif 000002
【特許請求の範囲】
【請求項１】
情報を提供する情報提供元から情報を取得して外部の情報表示装置に送信する携帯端末と、該受信した情報を表示する情報表示装置とを含む情報表示システムであって、
前記携帯端末は、
前記取得する情報の種別を選択可能な選択手段と、
前記選択手段により選択された種別に関連付けられた情報提供元から情報を取得する取得手段と、
前記取得した情報を情報表示装置に送信する送信手段と、を備え、
前記情報表示装置は、
前記携帯端末から情報を受信する受信手段と、
前記受信した情報を表示する表示手段と、
を備えていることを特徴とする情報表示システム。
【請求項２】
請求項１に記載の情報表示システムにおいて、
１の種別に対して複数の情報提供元が関連付けられており、
前記取得手段は、前記選択手段により前記種別が選択されると、関連付けられた複数の情報提供元から情報を取得することを特徴とする情報表示システム。
【請求項３】
情報を提供する情報提供元から取得した情報を表示する情報表示装置であって、
前記取得する情報の種別を選択可能な選択手段と、
前記選択手段により選択された種別に関連付けられた情報提供元から情報を取得する取得手段と、
前記取得した情報を表示する表示手段と、
を備えていることを特徴とする情報表示装置。
【請求項４】
請求項３に記載の情報表示装置において、
１の種別に対して複数の情報提供元が関連付けられており、
前記取得手段は、前記選択手段により前記種別が選択されると、関連付けられた複数の情報提供元から情報を取得することを特徴とする情報表示装置。
【請求項５】
情報表示方法であって、
（ａ）取得する情報の種別を選択する工程と、
（ｂ）選択された種別に関連付けられた情報提供元から情報を取得する工程と、
（ｃ）取得した情報を表示する工程と、
を備えていることを特徴とする情報表示方法。
【請求項６】
請求項５に記載の情報表示方法において、
１の種別に対して複数の情報提供元が関連付けられている場合には、
前記（ｂ）工程は、選択された種別に関連付けられた複数の情報提供元から情報を取得する工程であることを特徴とする情報表示方法。
【請求項７】
経路を案内するナビゲーション装置であって、
入力された検索条件に基づいて目的地の候補を抽出する抽出手段と、
目的地の候補の到着予想時刻を算出する時刻算出手段と、
現在及び将来の気象情報を記憶する記憶手段と、を備え、
前記抽出手段は、検索条件に天気が含まれている場合には、該天気と到着予想時刻における気象情報とに基づいて目的地の候補を抽出することを特徴とするナビゲーション装置。
【請求項８】
経路を案内するナビゲーション装置であって、
入力された検索条件に基づいて目的地の候補を抽出する抽出手段と、
目的地の候補の到着予想時刻を算出する時刻算出手段と、
現在及び将来の気象情報を記憶する記憶手段と、
抽出された目的地の候補を表示する表示手段と、を備え、
前記表示手段は、前記抽出された目的地の候補と、該目的地の到着予想時刻における気象情報とを表示することを特徴とするナビゲーション装置。
【請求項９】
請求項８に記載のナビゲーション装置において、
前記抽出された目的地の候補の種類に応じて、表示する気象情報の時間範囲を変更することを特徴とするナビゲーション装置。
【請求項１０】
請求項８又は９に記載のナビゲーション装置において、
前記抽出された目的地の候補の種類に応じて、該目的地に関連する地点の気象情報も表示することを特徴とするナビゲーション装置。
【発明の詳細な説明】
【技術分野】
【０００１】
本発明は、情報を表示する技術に関する。
【背景技術】
【０００２】
近年、ナビゲーション装置の多機能化が進み、施設情報等の各種情報をユーザに提供する機能を持ったナビゲーション装置が普及しつつある。このようなナビゲーション装置は、外部のサーバと接続されており、サーバから情報を取得してナビゲーション装置に表示することでユーザに提供している。例えば、外部のサーバから施設に関する口コミ情報を取得して、ナビゲーション装置に表示する技術として特許文献１がある。
【先行技術文献】
【特許文献】
【０００３】
【特許文献１】特開2003-271607号公報
【発明の概要】
【発明が解決しようとする課題】
【０００４】
しかしながら、特許文献１に記載の技術では、施設に関する口コミ情報を表示するだけであり、施設以外の例えば気象情報等を表示することができないため、単一の種類の情報しか把握することができない。また、施設の口コミ情報も単一の情報源から取得した情報を表示するものであり、異なる口コミサイト等の情報が知りたい場合であっても知ることができない。このため、ユーザにとって使い勝手のよいものではなく、必ずしも満足できるものではなかった。
【０００５】
本発明は、上記課題に鑑みてなされたものであり、ユーザが望む情報を表示することが可能な技術を提供することを目的とする。
【課題を解決するための手段】
【０００６】
上記課題を解決するため、請求項１の発明は、情報を提供する情報提供元から情報を取得して外部の情報表示装置に送信する携帯端末と、該受信した情報を表示する情報表示装置とを含む情報表示システムであって、前記携帯端末は、前記取得する情報の種別を選択可能な選択手段と、前記選択手段により選択された種別に関連付けられた情報提供元から情報を取得する取得手段と、前記取得した情報を情報表示装置に送信する送信手段と、を備え、前記情報表示装置は、前記携帯端末から情報を受信する受信手段と、前記受信した情報を表示する表示手段と、を備えている。
【０００７】
また、請求項２の発明は、請求項１に記載の情報表示システムにおいて、１の種別に対して複数の情報提供元が関連付けられており、前記取得手段は、前記選択手段により前記種別が選択されると、関連付けられた複数の情報提供元から情報を取得する。
【０００８】
また、請求項３の発明は、情報を提供する情報提供元から取得した情報を表示する情報表示装置であって、前記取得する情報の種別を選択可能な選択手段と、前記選択手段により選択された種別に関連付けられた情報提供元から情報を取得する取得手段と、前記取得した情報を表示する表示手段と、を備えている。
【０００９】
また、請求項４の発明は、請求項３に記載の情報表示装置において、１の種別に対して複数の情報提供元が関連付けられており、前記取得手段は、前記選択手段により前記種別が選択されると、関連付けられた複数の情報提供元から情報を取得する。
【００１０】
また、請求項５の発明は、情報表示方法であって、（ａ）取得する情報の種別を選択する工程と、（ｂ）選択された種別に関連付けられた情報提供元から情報を取得する工程と、（ｃ）取得した情報を表示する工程と、を備えている。
【００１１】
また、請求項６の発明は、請求項５に記載の情報表示方法において、１の種別に対して複数の情報提供元が関連付けられている場合には、前記（ｂ）工程は、選択された種別に関連付けられた複数の情報提供元から情報を取得する工程である。
【００１２】
また、請求項７の発明は、経路を案内するナビゲーション装置であって、入力された検索条件に基づいて目的地の候補を抽出する抽出手段と、目的地の候補の到着予想時刻を算出する時刻算出手段と、現在及び将来の気象情報を記憶する記憶手段と、を備え、前記抽出手段は、検索条件に天気が含まれている場合には、該天気と到着予想時刻における気象情報とに基づいて目的地の候補を抽出する。
【００１３】
また、請求項８の発明は、経路を案内するナビゲーション装置であって、入力された検索条件に基づいて目的地の候補を抽出する抽出手段と、目的地の候補の到着予想時刻を算出する時刻算出手段と、現在及び将来の気象情報を記憶する記憶手段と、抽出された目的地の候補を表示する表示手段と、を備え、前記表示手段は、前記抽出された目的地の候補と、該目的地の到着予想時刻における気象情報とを表示する。
【００１４】
また、請求項９の発明は、請求項８に記載のナビゲーション装置において、前記抽出された目的地の候補の種類に応じて、表示する気象情報の時間範囲を変更する。
【００１５】
また、請求項１０の発明は、請求項８又は９に記載のナビゲーション装置において、前記抽出された目的地の候補の種類に応じて、該目的地に関連する地点の気象情報も表示する。
【発明の効果】
【００１６】
請求項１ないし６の発明によれば、取得する情報の種別を選択し、この選択した種別に関連付けられた情報を取得して表示することができるため、ユーザが望む情報を表示することができる。
【００１７】
また、特に請求項２、４又は６の発明によれば、１の種別に対して複数の情報提供元が関連付けられている場合に、１の種別を選択するだけで複数の情報提供元から情報を取得して表示することができる。このため、ユーザが望む情報の提供元が複数ある場合であっても容易に所望の情報を表示することができる。
【００１８】
また、請求項７ないし１０の発明によれば、目的地の到着予想時刻における気象情報を検索条件に含めて目的地の候補の抽出を行うことができる。このため、目的地に到着する際の天気を考慮した目的地設定が可能となる。
【００１９】
また、特に請求項９又は１０の発明によれば、目的地の候補の種類に応じて、気象情報の表示の仕方を変えることができるため、目的地の施設等の種類や目的に適した範囲の気象情報を把握することが可能となる。
【図面の簡単な説明】
【００２０】
【図１】図１は、情報表示システムの概要を示す図である。
【図２】図２は、携帯端末の構成を示すブロック図である。
【図３】図３は、車両用装置の構成を示すブロック図である。
【図４】図４は、携帯端末の処理の流れを示すフローチャートである。
【図５】図５は、車両用装置の処理の流れを示すフローチャートである。
【図６】図６は、投稿サイトの登録処理の表示例を示す図である。
【図７】図７は、投稿サイトの登録処理の表示例を示す図である。
【図８】図８は、情報種別毎に取得可能な投稿サイトの例を示す図である。
【図９】図９は、投稿サイトの登録処理の表示例を示す図である。
【図１０】図１０は、投稿サイトの登録処理の表示例を示す図である。
【図１１】図１１は、携帯端末の処理の流れを示すフローチャートである。
【図１２】図１２は、車両用装置の処理の流れを示すフローチャートである。
【図１３】図１３は、投稿データの表示処理の表示例を示す図である。
【図１４】図１４は、投稿データの表示処理の表示例を示す図である。
【図１５】図１５は、投稿データの表示処理の表示例を示す図である。
【図１６】図１６は、投稿データの表示処理の表示例を示す図である。
【図１７】図１７は、投稿データの表示処理の表示例を示す図である。
【図１８】図１８は、投稿データの表示処理の表示例を示す図である。
【図１９】図１９は、投稿データの表示処理の表示例を示す図である。
【図２０】図２０は、投稿データの表示処理の表示例を示す図である。
【図２１】図２１は、投稿データの表示処理の表示例を示す図である。
【図２２】図２２は、投稿データの表示処理の表示例を示す図である。
【図２３】図２３は、投稿データの表示処理の表示例を示す図である。
【図２４】図２４は、投稿データの表示処理の表示例を示す図である。
【図２５】図２５は、ナビゲーション装置の構成を示すブロック図である。
【図２６】図２６は、ナビゲーション装置の処理の流れを示すフローチャートである。
【図２７】図２７は、目的地の設定処理の表示例を示す図である。
【図２８】図２８は、目的地の設定処理の表示例を示す図である。
【図２９】図２９は、目的地の設定処理の表示例を示す図である。
【図３０】図３０は、目的地の設定処理の表示例を示す図である。
【図３１】図３１は、目的地の設定処理の表示例を示す図である。
【図３２】図３２は、目的地の設定処理の表示例を示す図である。
【発明を実施するための形態】
【００２１】
以下、図面を参照しつつ本発明の実施の形態について説明する。
【００２２】
＜１．第１の実施の形態＞
＜１−１．システム構成＞
図１は、本実施の形態に係る情報表示システム１００の概要を示す図である。情報表示システム１００は、携帯端末１と、車両用装置２とを備えている。情報表示システム１００は、携帯端末１がサーバ装置３から取得した情報を車両用装置２に表示することでユーザに情報を提供するシステムである。各部の詳細は後に説明する。なお、車両の運転者を含む乗員や、携帯端末１及び車両用装置２を操作する者を「ユーザ」という場合がある。
【００２３】
携帯端末１は、ユーザが所持する可搬型の電子機器であり、例えば、スマートフォン、タブレット、携帯電話、ＰＤＡ(Personal Digital Assistant)等である。携帯端末１は、インターネットなどのネットワークを介して、ネットワークに接続された通信装置と通信する通信機能を有している。携帯端末１は、例えば、ツイッター（登録商標）などのソーシャルネットワーキングサービス（以下「ＳＮＳ」という）を提供するサーバ装置３と通信することが可能である。
【００２４】
携帯端末１は、ＳＮＳに投稿された投稿データをネットワークを介してサーバ装置３から取得することができる。なお、ＳＮＳに投稿される投稿データ（例えば、ツイート）には、気象情報や交通情報等の種々のジャンルがあり、さらにはジャンル毎に多数の投稿サイト（例えば、ツイッターサイト）が存在する。ユーザは、投稿データの取得を希望する投稿サイトを選択して登録しておくことができ、携帯端末１は、登録された投稿サイトに対応するサーバ装置３から投稿データを取得する。また、サーバ装置３から取得する投稿データには、投稿された位置を示す位置情報が付加されており、携帯端末１は、投稿データを取得すると、付加された位置情報に基づいて地図画像上に投稿データを重畳して表示する。
【００２５】
携帯端末１は、車両用装置２と通信可能に構成されており、車両用装置２との間で各種情報を送受信する。例えば、携帯端末１は、地図画像上に投稿データを重畳表示した画像データを車両用装置２に対して送信し、車両用装置２からは表示設定等の操作内容に関する情報を受信する。
【００２６】
携帯端末１には、上述したサーバ装置３から投稿データを取得する処理や、取得した投稿データを地図画像上へ重畳表示する処理、重畳表示した画像データを車両用装置２へ送信する処理等を実行するためのアプリケーション（以下「アプリ」という）が格納されている。ユーザが携帯端末１に格納されたアプリを操作して実行することにより、携帯端末１は各処理を実行する。
【００２７】
車両用装置２は、車両内で使用され、少なくとも表示部を有する電子機器（表示装置に相当）である。車両用装置２は、車両のダッシュボードの開口部に設置して使用する、いわゆる嵌め込み型の電子機器や、ダッシュボード上に設置部材を用いて設置して使用する電子機器等、車両に乗車しているユーザが、表示部に表示された画像を視認可能な電子機器であればよい。車両用装置２は、携帯端末１から受信した画像を表示部に表示する。
【００２８】
このように、本実施の形態に係る情報表示システム１００は、携帯端末１が、予めユーザが登録した情報提供元である情報源（投稿サイト）から情報（投稿データ）を取得して車両用装置２に送信し、車両用装置２で表示することによって、ユーザが所望する情報を表示することを可能にするシステムである。以下、情報表示システム１００の構成及び処理について説明する。
【００２９】
＜１−２．携帯端末の構成＞
まず、携帯端末１の構成について説明する。図２は、携帯端末１の概要を示すブロック図である。図２に示すように、携帯端末１は、制御部１１と、位置情報取得部１２と、記憶部１３と、通信部１４と、表示部１５と、操作部１６とを備えている。
【００３０】
制御部１１は、操作判定部１１ａと、情報取得部１１ｂと、画像作成部１１ｃと、音声作成部１１ｄとを備えており、図示しないＣＰＵ、ＲＡＭ、及びＲＯＭを備えるコンピュータである。制御部１１は、携帯端末１が備える記憶部１３や通信部１４等と接続され、記憶部１３に記憶されたプログラム１３ａに基づいて情報の送受信を行い、携帯端末１の全体を制御する。記憶部１３に記憶されたプログラム１３ａにしたがってＣＰＵが演算処理を実行することにより、画像作成部１１ｃや音声作成部１１ｄ等の制御部１１の各種機能が実現される。
【００３１】
操作判定部１１ａは、ユーザが携帯端末１の操作部１６を操作した際の操作内容を判定する。操作判定部１１ａは、例えば、ユーザがアプリを起動させる操作を行った場合や、アプリ内の各種設定や携帯端末１の各種設定等の操作を行った場合には、それらの操作内容を判定する。
【００３２】
また、操作判定部１１ａは、ユーザが車両用装置２の操作部を操作した際の操作内容も判定する。ユーザが車両用装置２の操作部を操作した際に、その操作に関する情報が車両用装置２から携帯端末１に送信される。操作判定部１１ａは、受信した操作に関する情報に基づいて車両用装置２での操作内容を判定する。
【００３３】
情報取得部１１ｂは、サーバ装置３から投稿データを取得する。ユーザが投稿データを取得する旨の操作をすると、情報取得部１１ｂは、ユーザが取得を希望する投稿データの投稿サイトを選択し、当該投稿サイトを管理するサーバ装置３から投稿データを取得する処理を実行する。すなわち、情報取得部１１ｂは、選択手段及び取得手段に相当する。
【００３４】
また、情報取得部１１ｂは、投稿データの取得処理を開始すると、ユーザが終了する旨の指示をするまで定期的にサーバ装置３から投稿データを取得し、常に最新の投稿データを取得するようになっている。
【００３５】
画像作成部１１ｃは、車両用装置２の表示部に表示するための画像データを作成する。作成する画像データには、記憶部１３から読み出した地図画像上に、取得する情報の種別を選択するボタンや、情報源である投稿サイトを選択して登録するボタンを重畳して表示した画像データと、サーバ装置３から取得した投稿データを地図画像上に重畳して表示した画像データとが含まれる。具体的には、画像作成部１１ｃは、位置情報取得部１２が取得した位置情報を含む所定範囲の地図画像を記憶部１３から読み出し、上述した選択ボタンや登録ボタンと、取得した投稿データとを地図画像上に重畳表示することで画像データを作成する。
【００３６】
なお、投稿データには位置情報が付加されており、画像データは、投稿データの位置情報に対応する位置の地図画像上に、当該投稿データが存在する旨が重畳表示されたデータである。ただし、画像データは、投稿データの存在を示す表示ではなく、投稿データの詳細な内容（例えば、つぶやきの内容や写真等）が重畳表示されたデータであってもよい。また、詳細な内容についての画像データは、ユーザの指示があった際に表示するための画像データとして、投稿データの存在を示す表示が重畳表示された画像データに含めてもよい。なお、画像作成部１１ｃは、所定の周期（例えば、１／３０秒）で画像データを作成する。
【００３７】
音声作成部１１ｄは、サーバ装置３から取得した投稿データに文字情報が含まれている場合に、その文字情報の内容を音声出力するための音声データを作成する。音声作成部１１ｄで作成された音声データは、画像データと共に車両用装置２に送信される。
【００３８】
位置情報取得部１２は、携帯端末１の現在位置を示す情報としての位置情報を取得する。位置情報取得部１２としては、例えば、ＧＰＳ（Global positioning system：全地球測位システム）を用いることができる。また、位置情報は、緯度情報及び経度情報を含む情報である。なお、ユーザが携帯端末１を車両に持ち込んでいる状態では、位置情報取得部１２が取得した位置情報が、車両の位置を示す情報となる。
【００３９】
記憶部１３は、プログラム１３ａ、アプリ１３ｂ、地図画像１３ｃを記憶している。本実施の形態における記憶部１３は、電気的にデータの読み書きが可能であって、電源を遮断されてもデータが消去されない不揮発性の半導体メモリを用いることができる。記憶部１３としては、例えば、ＥＥＰＲＯＭ（Electrical Erasable Programmable Read-Only memory）やフラッシュメモリを用いることができる。ただし、他の記憶媒体を用いてもよく、磁気ディスクを備えたハードディスクドライブで構成することもできる。
【００４０】
プログラム１３ａは、制御部１１により読み出され、制御部１１が携帯端末１を制御するために実行される、いわゆるシステムソフトウェアである。アプリ１３ｂは、投稿データの取得、画像データや音声データの作成処理等を実行するためのアプリケーションである。アプリ１３ｂには、これら各処理を実行するプログラムが格納されており、制御部１１の指示によりこのプログラム１３ａが実行される。地図画像１３ｃは、全国又は一定の広域の地図画像の情報と道路情報とを含む情報である。
【００４１】
通信部１４は、車両用装置２及びサーバ装置３と通信可能に構成され、車両用装置２及びサーバ装置３との間で情報の送受信を行う。通信部１４は、例えば、車両用装置２に対して画像データや音声データを送信し、車両用装置２から表示部の操作に関する情報を受信する。また、通信部１４は、例えば、サーバ装置３から投稿データを受信する。なお、携帯端末１とサーバ装置３との通信は、インターネット通信が可能な方法であればよく、例えば、いわゆる携帯電話網を利用した通信や、無線ＬＡＮを利用して通信を行うことができる。
【００４２】
また、携帯端末１と車両用装置２との通信は、ケーブルを直接接続した有線による通信でもよく、無線通信でもよい。無線通信の場合における通信方法は特に限定されるものではないが、例えばブルートゥース（Bluetooth；登録商標）や、Ｗｉ−Ｆｉ（ワイファイ：登録商標）、ＺｉｇＢｅｅ（ジグビー：登録商標）等の無線通信規格を用いることができる。
【００４３】
表示部１５は、アプリ１３ｂの操作画面等を表示する表示装置であり、例えば液晶ディスプレイや、有機ＥＬ（Electro Luminescence）ディスプレイ等である。
【００４４】
操作部１６は、機械式のボタンやタッチパネルを備えた情報の入力装置である。ユーザは、操作部１６を操作することによって、アプリ１３ｂに関する各種操作や設定等の操作を行うことができる。なお、操作部１６は、表示部１５と一体として構成されていてもよい。
【００４５】
＜１−３．車両用装置の構成＞
次に、車両用装置２の構成について説明する。図３は、車両用装置２の概要を示すブロック図である。図３に示すように、車両用装置２は、制御部２１と、記憶部２２と、通信部２３と、表示部２４と、音声出力部２５と、操作部２６とを備えている。
【００４６】
制御部２１は、表示制御部２１ａと、音声制御部２１ｂと、操作判定部２１ｃとを備えており、また、図示しないＣＰＵ、ＲＡＭ、及びＲＯＭを備えるコンピュータである。制御部２１は、車両用装置２が備える記憶部２２や通信部２３等と接続され、記憶部２２に記憶されたプログラム２２ａに基づいて情報の送受信を行い、車両用装置２の全体を制御する。記憶部２２に記憶されたプログラム２２ａにしたがってＣＰＵが演算処理を実行することにより、表示制御部２１ａ等の制御部２１の各種機能が実現される。
【００４７】
表示制御部２１ａは、画像を表示部２４に表示させる制御を行う。具体的には、表示制御部２１ａは、携帯端末１から受信した画像データに基づいて表示用の画像（以下「表示画像」という）を作成し、この表示画像を表示部２４に表示させる制御を行う。
【００４８】
表示制御部２１ａは、取得した画像データに所定の処理を施して表示画像を作成する。所定の処理とは、例えば取得した画像データが符号化されたデータである場合に、その画像データを復号する処理等である。なお、画像データは、所定の周期で携帯端末１から送信される。このため、表示制御部２１ａは、画像データを受信する毎に、表示画像を作成して表示部２４に表示させている。
【００４９】
音声制御部２１ｂは、音声を音声出力部２５から出力させる制御を行う。具体的には、音声制御部２１ｂは、携帯端末１から受信した音声データに基づいて出力用の音声（以下「出力音声」という）を作成し、この出力音声を音声出力部２５から出力させる制御を行う。
【００５０】
音声制御部２１ｂは、取得した音声データに所定の処理を施して出力音声を作成する。所定の処理とは、例えば取得した音声データが符号化されたデータである場合に、その音声データを復号する処理等である。なお、音声データは、画像データと共に携帯端末１から送信される。また、音声制御部２１ｂは、ユーザからの指示があった際に、出力音声を作成して音声出力部２５から出力させている。
【００５１】
操作判定部２１ｃは、ユーザによって車両用装置２の操作部２６が操作された際に、その操作内容を判定するための情報を取得する。例えば、操作部２６がタッチパネルである場合には、操作判定部２１ｃは、押下された表示部２４上の位置（例えば、座標値）を示す情報を取得する。また、操作部２６が機械式のボタンである場合には、いずれのボタンが押されたかを示す情報を取得する。これら押下された座標値やボタンを示す情報（以下「操作情報」という）は、携帯端末１に送信され、携帯端末１側で具体的な操作内容を判定することになる。
【００５２】
記憶部２２は、上記の携帯端末１の記憶部１３と同様に不揮発性の半導体メモリであり、例えば、ＥＥＰＲＯＭやフラッシュメモリを用いることができる。ただし、他の記憶媒体を用いてもよく、磁気ディスクを備えたハードディスクドライブで構成することもできる。また、記憶部２２は、プログラム２２ａを記憶している。プログラム２２ａは、制御部２１により読み出され、制御部２１が車両用装置２を制御するために実行される、いわゆるシステムソフトウェアである。
【００５３】
通信部２３は、携帯端末１と通信可能に構成され、携帯端末１との間で情報の送受信を行う。車両用装置２と携帯端末１との通信は、ケーブルを直接接続した有線による通信でもよく、無線通信でもよい。無線通信の場合における通信方法は、上述した各無線通信規格を用いることができる。
【００５４】
表示部２４は、画像を表示する表示装置であり、例えば液晶ディスプレイや有機ＥＬディスプレイ等である。
【００５５】
音声出力部２５は、音声を出力するものであり、例えばスピーカ等である。なお、音声出力部２５は、車両用装置２の外部に設けられていてもよい。
【００５６】
操作部２６は、機械式のボタンやタッチパネルを備えた情報の入力装置である。ユーザは、操作部２６を操作することによって、表示設定等の操作を行うことができる。なお、操作部２６は、表示部２４と一体として構成してもよい。
【００５７】
＜１−４．システムの処理＞
次に、情報表示システム１００の処理について説明する。本実施の形態では、ユーザが予め情報（投稿データ）の表示を希望する情報源（投稿サイト）を登録しておき、実際にユーザが情報の表示を希望した際に、登録されている情報源から情報を取得して表示することでユーザに情報を提供するシステムである。このため、まず、情報源としての投稿サイトを登録する際の処理について図４ないし図１０を用いて説明する。
【００５８】
図４は、携帯端末１の登録時の処理を示すフローチャートである。携帯端末１の処理は、記憶部１３に格納されているアプリ１３ｂを起動することにより開始する。アプリ１３ｂが起動すると、位置情報取得部１２が、現在の位置情報（以下「現在地情報」という）を取得する（ステップＳ４０１）。これは、位置情報取得部１２が、緯度情報及び経度情報を取得することにより行われる。
【００５９】
次に、画像作成部１１ｃが、画像データを作成する（ステップＳ４０２）。画像作成部１１ｃは、現在地情報に基づいて、現在地及びその周辺を含む地図画像１３ｃを記憶部１３から読み出す。そして、画像作成部１１ｃは、投稿サイトを登録するためのボタンを地図画像１３ｃ上に重畳表示した画像データを作成する。
【００６０】
次いで、制御部１１は、通信部１４を介して作成した画像データを車両用装置２に送信する（ステップＳ４０３）。また、制御部１１は、作成した画像データに対応する画像を表示部１５に表示する（ステップＳ４０４）。なお、画像データの送信及び画像の表示は、いずれを先に行ってもよく、同時に行ってもよい。また、画像の表示は省略してもよい。
【００６１】
その後、制御部１１は、車両用装置２から操作情報を受信したか否かを判断する（ステップＳ４０５）。車両用装置２は、携帯端末１から画像データを受信すると、該画像データに対応する画像を表示し、さらに車両用装置２の操作部２６の操作があった場合には、その操作情報を携帯端末１に送信するようになっている。このため、制御部１１は、画像データを車両用装置２に送信した後に、車両用装置２からの操作情報の受信の有無を判断している。
【００６２】
制御部１１は、車両用装置２から操作情報を受信していないと判断した場合には（ステップＳ４０５でＮｏ）、処理を終了する。一方、制御部１１は、車両用装置２から操作情報を受信したと判断した場合には（ステップＳ４０５でＹｅｓ）、その操作内容に対応する処理を実行して（ステップＳ４０６）、処理を終了する。具体的には、操作判定部１１ａが、受信した操作情報に基づいて操作内容を判定し、制御部１１が、該当する操作に対応する処理を実行する。
【００６３】
なお、操作情報とは、上述のように、押下されたタッチパネルの座標値又はボタンの情報である。したがって、操作判定部１１ａは、これらの情報と携帯端末１のボタン位置とを比較して、どのボタンが押されたかを特定し、操作内容を判定する。そして、制御部１１が、判定された操作内容に対応する処理を実行する。
【００６４】
例えば、操作内容が、投稿サイトの登録処理を実行する旨の指示である場合には、画像作成部１１ｃは、投稿データの取得が可能な投稿サイトの一覧を重畳表示した画像データを作成し、この画像データが車両用装置２に送信される。また、操作内容が、ある投稿サイトを登録する旨の指示である場合には、制御部１１は、対象とする投稿サイトを投稿データの取得対象として登録する。
【００６５】
なお、携帯端末１は、所定の周期で画像データを作成し車両用装置２に送信している。このため、ステップＳ４０１〜ステップＳ４０６の処理は、定期的に（例えば、所定の周期で）繰り返し実行される。
【００６６】
次に、車両用装置２の登録時の処理について説明する。図５は、車両用装置２の登録時の処理を示すフローチャートである。車両用装置２の処理は、車両用装置２が起動して、携帯端末１と通信が確立することにより開始する。制御部２１は、携帯端末１と通信を開始すると、画像データを受信したか否かを判断する（ステップＳ５０１）。制御部２１は、画像データを受信していないと判断した場合には（ステップＳ５０１でＮｏ）、再度画像データの受信の有無を判断する。
【００６７】
一方、制御部２１は、画像データを受信したと判断した場合には（ステップＳ５０１でＹｅｓ）、表示制御部２１ａが、受信した画像データに基づいて表示画像を作成し、表示部２４に表示する（ステップＳ５０２）。この場合に表示される画像は、少なくとも登録処理の実行を指示するためのボタンが表示された画像である。
【００６８】
次に、操作判定部２１ｃは、操作部２６が操作されたか否かを判定する（ステップＳ５０３）。具体的には、操作判定部２１ｃは、操作部２６がタッチパネルの場合には、表示部２４に表示されたボタンに相当する領域が押下された否かを判断して、操作の有無を判定する。また、操作部２６が機械式のボタンの場合には、操作判定部２１ｃは、いずれかのボタンが押下されたか否かを判断して、操作の有無を判定する。操作判定部２１ｃは、操作部２６が操作されていないと判定した場合には（ステップＳ５０３でＮｏ）、処理を終了する。
【００６９】
一方、操作判定部２１ｃは、操作部２６が操作されたと判定した場合には（ステップＳ５０３でＹｅｓ）、操作情報を取得する（ステップＳ５０４）。すなわち、操作判定部２１ｃは、押下されたボタンに関する情報を取得する。具体的には、操作判定部２１ｃは、操作部２６がタッチパネルの場合には、押下された位置の座標値を取得し、操作部２６が機械式のボタンの場合には、いずれのボタンが押下されたかの情報を取得する。
【００７０】
次いで、制御部２１は、取得した操作情報を携帯端末１に送信して（ステップＳ５０５）、処理を終了する。なお、ステップＳ５０１〜ステップＳ５０５の処理においても、定期的に（例えば、上述の所定の周期で）繰り返し実行される。
【００７１】
ここで、投稿サイトの登録処理について、ユーザが車両用装置２の表示部２４に表示された画面を操作しながら登録する際の画面遷移の例を用いて具体的に説明する。図６ないし図１０は、登録時において車両用装置２の表示部２４に表示された画像を示す図である。
【００７２】
図６は、起動後に携帯端末１から車両用装置２に画像データが送信され、対応する表示画像が車両用装置２の表示部２４に表示されている状態を示している。図６に示す表示画像には、登録処理又は取消処理の実行を指示する「登録／取消」のボタンが表示されている。なお、取消処理とは、一旦登録された投稿サイトの登録を取り消す処理であるが、本明細書中では、登録処理に取消処理も含まれるものとして説明する。
【００７３】
また、図６に示す表示画像には、他に「天気情報」「交通情報」「イベント」のボタンが表示されている。これら「天気情報」「交通情報」「イベント」のボタンは、情報を取得する際に、取得する情報種別の選択に用いられるものであり、登録処理には使用しないため、これらについては後述する。
【００７４】
ユーザが「登録／取消」ボタンを押下すると、登録処理が開始する。すなわち、ユーザが「登録／取消」ボタンを押下すると、車両用装置２は「登録／取消」ボタンが配置されている座標値を取得し、操作情報として携帯端末１に送信する。携帯端末１では、受信した座標値に対応するボタンが「登録／取消」ボタンであると判定し、登録処理を開始する。
【００７５】
登録処理が開始されると、携帯端末１は取得する情報種別を選択するための画像データを作成し、車両用装置２に送信する。車両用装置２では、受信した画像データに対応する表示画像を表示部２４に表示させる。図７は、取得する情報種別を選択するための画像が表示部２４に表示された状態を示す図である。
【００７６】
図７に示す表示画像には、取得可能な情報種別として「天気情報」と「交通情報」と「イベント」と「グルメ」が表示されている。これらの中から、ユーザは登録を希望する情報種別を選択する。図７に示すように、例えば、ユーザが「天気情報」を選択した場合には、車両用装置２は「天気情報」ボタンが配置されている座標値を取得し、操作情報として携帯端末１に送信する。携帯端末１では、受信した座標値に対応するボタンが「天気情報」ボタンであると判定し、「天気情報」の投稿サイトの選択画面の画像データを作成する。
【００７７】
なお、本実施の形態では、種々の投稿サイトから投稿データを取得することが可能となっており、アプリ１３ｂには情報種別毎に取得可能な投稿サイトが格納されている。図８は、情報種別と取得可能な投稿サイトの一覧を示す図である。図８に示すように、例えば、情報種別が「天気情報」の場合、「みんなの天気」や「にこにこ天気」等の投稿サイトから投稿データの取得が可能となっている。
【００７８】
携帯端末１は、情報種別が選択された際には、選択された情報種別に対応付けられた投稿サイトを表示した選択画面の画像データを作成して、車両用装置２に送信する。車両用装置２は、受信した画像データに対応する表示画像を表示部２４に表示する。図９は、「天気情報」が選択された場合において、投稿サイトを選択するための画像が表示部２４に表示された状態を示す図である。
【００７９】
図９に示す表示画像には、投稿データの取得が可能な投稿サイトとして、「みんなの天気」「にこにこ天気」等が表示されている。ユーザは、これらの中から投稿データの取得を希望する投稿サイトを選択する。図９に示すように、例えば、ユーザが「にこにこ天気」を選択した場合には、車両用装置２は「にこにこ天気」ボタンが配置されている座標値を取得し、操作情報として携帯端末１に送信する。携帯端末１は、受信した座標値に対応するボタンが「にこにこ天気」ボタンであると判定し、「にこにこ天気」の登録又は取消を確定するためのボタンが表示された画像データを作成して車両用装置２に送信する。
【００８０】
車両用装置２は、受信した画像データに対応する表示画像を表示部２４に表示する。図１０は、「にこにこ天気」の登録又は取消を確定するためのボタンが表示部２４に表示された状態を示す図である。図１０に示す表示画像には、「登録」及び「取消」ボタンが表示されており、ユーザが「登録」ボタンを選択すると、車両用装置２は「登録」ボタンが配置されている座標値を取得し、操作情報として携帯端末１に送信する。携帯端末１は、受信した座標値に対応するボタンが「登録」ボタンであると判定し、「にこにこ天気」を「天気情報」選択時における投稿データ取得対象の投稿サイトとして登録する。
【００８１】
なお、同様の方法で「みんなの天気」を「天気情報」選択時における投稿データ取得対象の投稿サイトとして登録することができる。この場合、情報取得時に「天気情報」を選択すると、「みんなの天気」と「にこにこ天気」の投稿サイトから投稿データを取得することとなる。
【００８２】
また、取消処理の場合も同様の方法で行うことができる。すなわち、投稿サイトを選択する際に、取り消したい投稿サイトを選択し、「取消」ボタンを選択することによって、その投稿サイトの登録を取り消すことができる。
【００８３】
このようにして、ユーザは、情報種別毎に、投稿データの取得が可能な投稿サイトの一覧の中から希望する投稿サイトを選択して登録することができる。また、同じ情報種別の中に複数の投稿サイトがある場合は、複数の投稿サイトを登録することができる。これにより、ある情報種別を選択した際に、複数の投稿サイトの投稿データを取得して表示することが可能となる。
【００８４】
次に、投稿データを表示する際の処理について図１１ないし図１９を用いて説明する。
【００８５】
図１１は、投稿データを表示する際の携帯端末１の処理を示すフローチャートである。携帯端末１の処理は、記憶部１３に格納されているアプリ１３ｂを起動することにより開始する。アプリ１３ｂが起動すると、位置情報取得部１２が、現在地情報を取得する（ステップＳ１１０１）。次に、画像作成部１１ｃが、画像データを作成する（ステップＳ１１０２）。画像作成部１１ｃは、現在地情報に基づいて、現在地及びその周辺を含む地図画像１３ｃを記憶部１３から読み出し、投稿データの表示を希望する情報種別を選択するためのボタンを地図画像１３ｃ上に重畳表示した画像データを作成する。
【００８６】
次いで、制御部１１は、通信部１４を介して作成した画像データを車両用装置２に送信する（ステップＳ１１０３）。また、制御部１１は、作成した画像データに対応する画像を表示部１５に表示する（ステップＳ１１０４）。これらステップＳ１１０１〜ステップＳ１１０４は、上述したステップＳ４０１〜ステップＳ４０４と同様の処理である。
【００８７】
その後、制御部１１は、車両用装置２から操作情報を受信したか否かを判断する（ステップＳ１１０５）。上記と同様に、制御部１１は、画像データを車両用装置２に送信した後に、車両用装置２からの操作情報の受信の有無を判断している。制御部１１は、操作情報を受信していないと判断した場合には（ステップＳ１１０５でＮｏ）、処理を終了する。
【００８８】
一方、制御部１１は、操作情報を受信したと判断した場合には（ステップＳ１１０５でＹｅｓ）、投稿データの取得処理を実行する（ステップＳ１１０６）。すなわち、操作判定部１１ａが受信した操作情報に基づいて操作内容を判定し、情報取得部１１ｂが投稿データを取得する。より具体的には、操作判定部１１ａが、提供を希望する情報種別として、いずれの情報種別が選択されたかを判定し、情報取得部１１ｂが、選択された情報種別に登録された投稿サイトのサーバ装置３から投稿データを取得する。
【００８９】
そして、画像作成部１１ｃは、取得した投稿データを用いて画像データを作成する（ステップＳ１１０７）。具体的には、画像作成部１１ｃは、現在地情報に基づいて、現在地及びその周辺を含む地図画像１３ｃを記憶部１３から読み出す。そして、取得した投稿データを地図画像１３ｃ上に重畳表示した画像データを作成する。投稿データには位置情報が付与されているため、画像データは、投稿データの位置情報が地図画像１３ｃの対応する位置に重畳表示されたデータとなる。
【００９０】
次いで、制御部１１は、作成した画像データを車両用装置２に送信すると共に（ステップＳ１１０８）、対応する画像を表示部１５に表示して（ステップＳ１１０９）、処理を終了する。
【００９１】
なお、投稿データに音声情報が付加されている場合には、ステップＳ１１０７において音声作成部１１ｄが音声データを作成する。そして、ステップＳ１１０８において、制御部１１が、作成した音声データを画像データと共に車両用装置２に送信する。さらに、携帯端末１が音声を出力する構成となっている場合には、ステップＳ１１０９において、ユーザの指示に応じて音声を出力してもよい。
【００９２】
また、携帯端末１は、所定の周期で画像データを作成し車両用装置２に送信している。このため、ステップＳ１１０１〜ステップＳ１１０９の処理は、定期的に（例えば、所定の周期で）繰り返し実行される。
【００９３】
次に、投稿データを表示する際の車両用装置２の処理について説明する。図１２は、投稿データを表示する際の車両用装置２の処理を示すフローチャートである。車両用装置２の処理は、車両用装置２が起動して、携帯端末１と通信が確立することにより開始する。
【００９４】
制御部２１は、携帯端末１と通信を開始すると、画像データを受信したか否かを判断する（ステップＳ１２０１）。制御部２１は、画像データを受信していないと判断した場合には（ステップＳ１２０１でＮｏ）、再度画像データの受信の有無を判断する。
【００９５】
一方、制御部２１は、画像データを受信したと判断した場合には（ステップＳ１２０１でＹｅｓ）、表示制御部２１ａが、受信した画像データに基づいて表示画像を作成し、表示部２４に表示する（ステップＳ１２０２）。この場合に表示される画像は、少なくとも投稿サイトの登録がされている情報種別のボタンが表示された画像である。
【００９６】
次に、操作判定部２１ｃは、操作部２６が操作されたか否かを判定する（ステップＳ１２０３）。操作判定部２１ｃは、操作部２６が操作されていないと判定した場合には（ステップＳ１２０３でＮｏ）、処理を終了する。一方、操作判定部２１ｃは、操作部２６が操作されたと判定した場合には（ステップＳ１２０３でＹｅｓ）、操作情報を取得し（ステップＳ１２０４）、取得した操作情報を携帯端末１に送信する。なお、これらステップＳ１２０１〜ステップＳ１２０５は、上述したステップＳ５０１〜ステップＳ５０５と同様の処理である。
【００９７】
次いで、制御部２１は、携帯端末１から画像データを受信したか否かを判断する（ステップＳ１２０６）。車両用装置２は、携帯端末１に対して、選択された情報種別に対応する操作情報を送信した後には、携帯端末１から投稿データが重畳表示された画像データが送信されてくるため、その画像データを受信したか否かを判断するようになっている。
【００９８】
制御部２１は、画像データを受信していないと判断した場合には（ステップＳ１２０６でＮｏ）、再度受信の有無を判断する。一方、制御部２１は、画像データを受信したと判断した場合には（ステップＳ１２０６でＹｅｓ）、受信した画像データに対応する表示画像を作成して表示部２４に表示し（ステップＳ１２０７）、処理を終了する。
【００９９】
なお、受信した画像データに音声データが付加されている場合には、音声制御部２１ｂは、出力音声を作成する。そして、制御部２１は、ユーザの指示に応じて音声出力部２５を介して音声を出力する。
【０１００】
なお、ステップＳ１２０１〜ステップＳ１２０７の処理においても、定期的に（例えば、上述の所定の周期で）繰り返し実行される。車両用装置２は、携帯端末１から所定の間隔で画像データを受信していることに対応している。
【０１０１】
これにより、ユーザが選択した情報種別の投稿データを表示することで、ユーザに対して希望する情報を提供することができる。また、同じ情報種別に複数の投稿サイトが登録されている場合には、複数の投稿サイトから投稿データを一度に取得して表示することができるため、ユーザに対して複数の投稿サイトの情報を提供することが可能になる。
【０１０２】
ここで、投稿データの表示処理について、ユーザが車両用装置２の表示部２４に表示された画面を操作しながら表示させる際の画面遷移の例を用いて具体的に説明する。図１３ないし図１９は、投稿データの表示時において車両用装置２の表示部２４に表示された画像を示す図である。
【０１０３】
図１３は、起動後に携帯端末１から車両用装置２に画像データが送信され、対応する表示画像が車両用装置２の表示部２４に表示されている状態を示している。図１３に示す表示画像には、投稿データの取得が可能な情報種別として「天気情報」「交通情報」及び「イベント」のボタンが表示されている。また、図１３に示す表示画像には、他に「登録／取消」のボタンが表示されているが、このボタンについては既述であるため、ここでの説明は省略する。
【０１０４】
本実施の形態では、「天気情報」の投稿データを表示する場合について説明する。「天気情報」を選択した際に投稿データを取得可能な投稿サイトとして、「みんなの天気」「にこにこ天気」「定点天気」といった投稿サイトがあるとする。「みんなの天気」及び「にこにこ天気」は、投稿者が投稿した地点における天気情報を収集した投稿サイトである。また、「定点天気」は、特定の地点に設置された各観測機から投稿された天気情報を収集した投稿サイトである。
【０１０５】
ユーザが「天気情報」ボタンを押下すると、投稿データの取得処理及び表示処理が開始する。すなわち、ユーザが「天気情報」ボタンを押下することによって、車両用装置２は「天気情報」ボタンが配置されている座標値を取得し、操作情報として携帯端末１に送信する。携帯端末１では、受信した座標値に対応するボタンが「天気情報」ボタンであると判定し、投稿データの取得処理を行う。
【０１０６】
携帯端末１は、上述した登録処理によって「天気情報」に登録された投稿サイトを管理するサーバ装置３から投稿データを取得する。そして、携帯端末１は、取得した投稿データを地図画像１３ｃ上に重畳表示した画像データを作成して車両用装置２に送信する。車両用装置２は、受信した画像データに対応する表示画像を表示部２４に表示する。
【０１０７】
例えば、「天気情報」に登録されている投稿サイトが「みんなの天気」のみである場合に、ユーザが「天気情報」を選択すると、車両用装置２の表示部２４には図１４のような表示画像が表示される。図１４に示す表示画像には、複数の投稿者が「みんなの天気」に投稿した投稿データＴＤａが表示されている。投稿データには位置情報が含まれているため、投稿者が投稿した位置に表示することで、どの地点に投稿データが存在するかを把握することができる。また、図１４に示す表示画像では、投稿内容の詳細は表示せず、その概要のみがわかるアイコンを表示している。
【０１０８】
また、「天気情報」に登録されている投稿サイトが「みんなの天気」と「にこにこ天気」である場合には、ユーザが「天気情報」を選択した際には、車両用装置２の表示部２４には図１５のような表示画像が表示される。図１５に示す表示画像で表示されていた「みんなの天気」の投稿データＴＤａに加えて「にこにこ天気」の投稿データＴＤｂが表示される。なお、異なる投稿サイトから投稿データを取得して表示する際には、投稿サイト毎に異なるアイコンを使用して表示することが好ましい。
【０１０９】
さらに、「定点天気」が登録されている場合も同様に、図１６に示すように、「みんなの天気」及び「にこにこ天気」の投稿データＴＤａ・ＴＤｂに加えて「定点天気」の投稿データＴＤｃが表示される。このように、１つの情報種別に複数の投稿サイトが登録されている場合には、その種別の情報取得を選択すると、それら各投稿サイトから投稿データを取得して同じ画面に表示することとなる。
【０１１０】
なお、本実施の形態では、投稿データの詳細内容は表示しておらず、投稿データがある地点と、その概要とがわかるアイコンを表示している。そして、投稿データの詳細な内容は、ユーザの指示に応じて表示するようになっている。
【０１１１】
例えば、図１７に示すように、ユーザが画面に表示されているアイコンを選択すると、図１８に示すように、選択されたアイコンに対応する投稿データの詳細な内容が表示される。さらに、ユーザが表示画面中の「コメント読み上げ」ボタンを押下すると、その投稿された内容を読み上げた音声が出力される。これらは、詳細な内容や音声データが含まれている投稿データであれば、いずれの投稿サイトから取得した投稿データであっても同様であり、例えば、ユーザが「定点天気」の投稿サイトから取得した投稿データのアイコンを選択した場合にも、図１９に示すように、投稿データの詳細な内容が表示される。
【０１１２】
これら詳細内容の画像データや音声データは、概要が表示された画像データと共に携帯端末１から車両用装置２に送信される。この場合、ユーザがアイコンを選択した際に、車両用装置２が受信した詳細内容の画像データや音声データを読み出して表示する構成となる。ただし、ユーザの指示があったときに携帯端末１から車両用装置２に対して、詳細内容の画像データや音声データを送信する構成としてもよい。この場合には、ユーザがアイコンを選択した際に、携帯端末１が投稿サイトから投稿データの詳細内容及び音声情報を取得して画像データ及び音声データを車両用装置２に送信し、車両用装置２が受信した画像データを表示する構成となる。
【０１１３】
以上説明したように、本実施の形態では、同じ種別の情報に複数の投稿サイトを登録することができるため、１つの種別を選択したたけで、複数の投稿サイトの投稿データを取得して表示することができる。このため、ユーザは、各々の投稿サイトから別々に投稿データを取得することなく、情報種別を選択するだけで複数種類の投稿サイトの投稿データを同時に知ることが可能になる。
【０１１４】
＜１−５．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【０１１５】
上記実施の形態では、単にユーザが投稿データを取得する場合について説明したが、ユーザが自ら投稿データを投稿する場合にも適用可能である。例えば、「みんなの天気」や「にこにこ天気」等の投稿サイトに情報を投稿した場合には、それらの投稿サイトから投稿データを取得した際に、他の投稿者の投稿データと共に自ら投稿した投稿データも表示される。
【０１１６】
また、「天気情報」を選択した際に投稿データを取得可能な投稿サイトとして、「１時間天気」といった投稿サイトがあるとする。「１時間天気」は、ユーザが現在地の天気情報を投稿すると、その投稿した地点における１時間先までの天気情報を、その投稿したユーザに提供する投稿サイトである。
【０１１７】
ユーザが「１時間天気」に投稿するための画面を表示すると、例えば図２０に示すような表示画像が表示される。そして、ユーザが、表示された天気の中から今の天気を選択すると「１時間天気」に天気の情報が投稿される。すると、図２１に示すように、天気の情報を投稿した地点に「１時間天気」のアイコンが表示される。
【０１１８】
ユーザが「１時間天気」のアイコンを選択すると、図２２に示すように、情報を投稿したときから１時間先までの天気予報が表示される。このように、他の投稿者の投稿データを単に表示するだけでなく、自らが投稿することによって、投稿データの表示以外の情報も表示させることができる。
【０１１９】
また、ユーザが投稿するデータは天気情報だけでなく、天気に関する他の情報でもよい。例えば、天気に関する車両情報（ワイパーの動作情報、ライトの動作情報、カメラ画像（上方部分を切り出した画像）等）を投稿することもできる。
【０１２０】
また、上記実施の形態では、投稿データの表示処理の際に「天気情報」を選択すると、「天気情報」に登録された１又は複数の投稿サイトから取得した投稿データを車両用装置２の表示部２４に表示する構成について説明したが、情報種別を複数選択することも可能である。
【０１２１】
例えば、「天気情報」を選択した際に、投稿データを取得する投稿サイトとして「みんなの天気」「にこにこ天気」及び「定点天気」が登録されていて、「交通情報」を選択した際に、投稿データを取得する投稿サイトとして「危険地帯」が登録されている場合を例に挙げて説明する。「危険地帯」は、異常気象や災害等が発生し、車両の走行が危険な状況となっている道路や地帯の情報を収集する投稿サイトである。
【０１２２】
ユーザが、投稿データを表示させるために「天気情報」を選択すると、「天気情報」に登録されている「みんなの天気」「にこにこ天気」及び「定点天気」の各投稿サイトから取得した投稿データが表示部２４に表示される。さらに、ユーザが、「交通情報」を選択すると、「天気情報」に登録された投稿サイトから取得した投稿データに加えて、「交通情報」に登録されている「危険地帯」の投稿サイトから取得した投稿データが表示部に表示される。
【０１２３】
図２３は、「天気情報」と「交通情報」とが選択された際に、車両用装置２の表示部２４に表示画像が表示されている状態を示す図である。図２３に示すように、「天気情報」に登録された各投稿サイトから取得した投稿データＴＤａ・ＴＤｂ・ＴＤｃと、「交通情報」に登録された投稿サイトから取得した投稿データＴＤｄとが、表示されている。このように、複数の情報種別を選択することで、各種別に登録された投稿サイトから取得した投稿データを同時に表示することも可能である。
【０１２４】
なお、投稿データに詳細内容の画像データや音声データが含まれている場合には、ユーザの指示に応じて、それら詳細内容の表示及び音声の出力を行うことができる。例えば、「危険地帯」に投稿された投稿データを表示するアイコンを選択すると、図２４に示すように、その投稿された詳細な内容が表示される。また、ユーザが「コメント読み上げ」ボタンを押下することで対応する音声を出力することができる。
【０１２５】
また、上記実施の形態では、取得した投稿データを全て表示する構成について説明したが、一部を表示する構成としても良い。投稿データの数が膨大になると、地図画像１３ｃ上に重畳表示した際に、投稿データを示すアイコンや地図が互いに重なり見えなくなる可能性があるためである。この場合には、表示する投稿データに優先順位を付与し、優先順位の高いものから所定のデータ量となるまでの投稿データを表示する。
【０１２６】
優先順位は、適宜設定することができる。情報種別単位で優先順位を付与することもでき、投稿サイト単位で優先順位を付与することもできる。また、ユーザが指定したキーワードを多く含む投稿データの優先順位を高くしたり、投稿時間の新しい投稿データの優先順位を高くしてもよい。
【０１２７】
また、上記実施の形態では、図７に示すように、取得可能な情報種別として「天気情報」「交通情報」「イベント」「グルメ」が表示されている例について説明したが、取得可能な情報種別は適宜増減可能である。すなわち、ユーザが、新たに他の情報種別を登録したり、登録済みの情報種別の登録を解除したりすることができる。例えば、未登録の情報種別として「ショッピング」や「遊び情報」などがあるとする。この場合、ユーザが「ショッピング」や「遊び情報」を選択して登録することで、取得可能な情報種別として前述した４つの種別に加えて「ショッピング」と「遊び情報」とが追加される。そして、追加された情報種別毎に、上述した方法で投稿サイトを登録することで、その情報種別を選択した際に登録した投稿サイトから投稿データを取得して表示することが可能になる。また、ユーザにとって投稿データの表示が不要となった情報種別がある場合には、その情報種別の登録を解除することにより、その情報種別は登録済みの情報種別から除かれる。
【０１２８】
また、上記実施の形態では、情報種別毎に対応する投稿サイトを登録し、該情報種別を選択すると登録した投稿サイトから投稿データを取得して表示する例について説明したが、これに限定されるものではない。例えば、各情報種別に対応する全投稿サイトの中から、ユーザが希望する投稿サイトを選択して登録することもできる。すなわち、ユーザにとってのいわゆる「お気に入り」のような登録である。
【０１２９】
この場合、ユーザは、既存の情報種別とは別に「お気に入り」等の情報種別を作成し、投稿サイトを、全投稿サイトの中から登録する。そして、「お気に入り」を選択した際には、ユーザが登録した投稿サイトから情報を取得して表示することが可能になる。例えば、「みんなの天気」と「○○イベント」と「グルマニア」とを登録した場合には、「お気に入り」を選択することで、これら各投稿サイトの情報を取得して表示することができる。これにより、ジャンルを問わずに投稿サイトを登録することで、ユーザが希望する種々のジャンルの投稿データを一度に表示することが可能になる。
【０１３０】
なお、登録する投稿サイトについて制限がかかる情報種別と、かからない情報種別とを設定可能な構成としてもよい。例えば、「天気情報」や「交通情報」に対応する投稿サイトは、他の情報種別（例えば「お気に入り」等）には登録できないように設定し、「イベント」や「グルメ」に対応する投稿サイトは、他の情報種別に登録できるように設定する等である。
【０１３１】
また、上記実施の形態では、携帯端末１が地図画像１３ｃ上に投稿データを重畳表示した画像データを作成し、車両用装置２に送信する構成について説明したが、車両用装置２がナビゲーション機能を有する場合には、車両用装置２側で重畳表示した画像を作成することもできる。
【０１３２】
この場合、携帯端末１は、画像データを車両用装置２に送信する必要はなく、投稿データのみを送信すればよい。そして、車両用装置２は、自装置で現在地情報と地図画像とを取得することが可能であるため、これら現在地情報と地図画像と携帯端末１から受信した投稿データとを用いて投稿データを重畳した表示画像を作成すればよい。
【０１３３】
また、上記実施の形態では、携帯端末１が各処理を実行するアプリを有しており、携帯端末１がアプリを実行することで投稿データの取得処理や、登録処理、画像データの作成処理等の各処理を行っていたが、車両用装置２が同様のアプリを有している場合には、車両用装置２が各処理を行うこともできる。この場合、車両用装置２はサーバ装置３から直接投稿データを取得し、自装置で表示処理も行うこととなり、携帯端末１は不要となる。すなわち、この場合、車両用装置２が情報表示装置に相当する。
【０１３４】
＜２．第２の実施の形態＞
次に、第２の実施の形態について説明する。第２の実施の形態では、気象情報を用いて目的地を設定するナビゲーション装置について説明する。従来のナビゲーション装置では、目的地設定の際に、目的地に到着する時間帯の天候を考慮していないため、目的地の種類によっては、目的地とするのがふさわしくない場合がある。例えば、目的地が屋外の施設であるのに到着する頃には天候が悪化している場合などには、目的が達成できないため目的地としない方が好ましい。そこで、このような目的地設定を回避するために、本実施の形態のナビゲーション装置では、検索条件に気象情報を含めて目的地設定を行う。
【０１３５】
＜２−１．ナビゲーション装置の構成＞
本実施の形態に係るナビゲーション装置の構成について説明する。本実施の形態に係るナビゲーション装置は、ユーザが設定した目的地までの経路を案内するナビゲーション機能を有する電子機器である。ナビゲーション装置は、車両のダッシュボードの開口部に設置して使用する、いわゆる嵌め込み型の電子機器や、ダッシュボード上に設置部材を用いて設置して使用する電子機器、設置等を行わずに車両内に持ち込んだ状態で使用する電子機器等、車両に乗車しているユーザに対して経路の案内が可能な電子機器であればよい。
【０１３６】
図２５は、ナビゲーション装置４の概要を示すブロック図である。図２５に示すように、ナビゲーション装置４は、制御部４１と、位置情報取得部４２と、記憶部４３と、通信部４４と、表示部４５と、操作部４６とを備えている。
【０１３７】
制御部４１は、目的地設定部４１ａと、経路案内部４１ｂと、時刻算出部４１ｃとを備えており、また、図示しないＣＰＵ、ＲＡＭ、及びＲＯＭを備えるコンピュータである。制御部４１は、ナビゲーション装置４が備える記憶部４３等と接続され、記憶部４３に記憶されたプログラム４３ａに基づいてナビゲーション装置４の全体を制御する。記憶部４３に記憶されたプログラム４３ａにしたがってＣＰＵが演算処理を実行することにより、目的地設定部４１ａ等の制御部４１の機能が実現される。
【０１３８】
目的地設定部４１ｄは、経路案内の目的地を設定する。具体的には、目的地設定部４１ａは、ユーザから入力された検索条件に基づいて、目的地の候補を抽出する。そして、目的地設定部４１ａは、抽出された候補の中から選択された目的地の位置情報に基づいて目的地を設定する。この目的地設定部４１ａの処理の詳細については後述する。
【０１３９】
経路案内部４１ｂは、車両の現在位置から目的地までの経路案内を行う。経路案内部４１ｂは、車両の現在位置として位置情報取得部４２から位置情報を取得し、地図画像を利用して現在位置から目的地までの経路を導出する。そして、経路案内部４１ｂは、現在位置の近傍の地図画像に経路を重畳した画像を表示部４５に表示させ、ユーザに目的地までの経路を案内する。
【０１４０】
時刻算出部４１ｃは、目的地の到着予測時刻を算出する。時刻算出部４１ｃは、目的地設定部４１ａが目的地の候補を抽出すると、抽出された目的地に到着すると予測される時刻を算出する。時刻算出部４１ｃは、現在位置と目的地までの距離や、現在時刻、車両の走行速度等に基づいて到着予測時刻を算出する。
【０１４１】
位置情報取得部４２は、車両の現在位置を示す情報としての位置情報を取得する。位置情報取得部４２としては、例えば、ＧＰＳを用いることができる。また、位置情報は、緯度情報及び経度情報を含む情報である。
【０１４２】
記憶部４３は、プログラム４３ａ、地図画像４３ｂ、及び気象情報４３ｃを記憶している。本実施の形態における記憶部４３は、電気的にデータの読み書きが可能であって、電源を遮断されてもデータが消去されない不揮発性の半導体メモリを用いることができる。記憶部４３としては、例えば、ＥＥＰＲＯＭやフラッシュメモリを用いることができる。ただし、他の記憶媒体を用いてもよく、磁気ディスクを備えたハードディスクドライブで構成することもできる。
【０１４３】
プログラム４３ａは、制御部４１により読み出され、制御部４１がナビゲーション装置４を制御するために実行される、いわゆるシステムソフトウェアである。地図画像４３ｂは、全国又は一定の広域の地図画像の情報と道路情報とを含む情報である。気象情報４３ｃは、全国又は一定の広域の複数地点又は領域における、現在の天気及び将来の天気予報の情報である。ナビゲーション装置４は、定期的に外部のサーバから気象情報を取得しており、記憶部４３には、常に最新の気象情報４３ｃが記憶されている。
【０１４４】
通信部４４は、いわゆる携帯電話網や、無線ＬＡＮなどの無線通信を利用したネットワークへの接続機能を有している。通信部４４は、ネットワークに接続された外部のサーバとの間でデータの送受信を行うことが可能である。通信部４４は、例えば、気象情報を管理している外部のサーバから気象情報を受信する。
【０１４５】
表示部４５は、ナビゲーション画像等を表示する表示装置であり、例えば液晶ディスプレイや、有機ＥＬディスプレイ等である。
【０１４６】
操作部４６は、機械式のボタンやタッチパネルを備えた情報の入力装置である。ユーザは、操作部４６を操作することによって、ナビゲーションに関する各種操作や設定等の操作を行うことができる。なお、操作部４６は、表示部４５と一体として構成されていてもよい。
【０１４７】
＜２−２．目的地の設定処理＞
次に、第２の実施の形態におけるナビゲーション装置４における目的地の設定処理について説明する。図２６は、ナビゲーション装置４の目的地の設定処理を示すフローチャートである。
【０１４８】
目的地の設定処理は、ユーザが目的地の設定画面を表示させることにより開始する。まず、ナビゲーション装置４の目的地設定部４１ａが、目的地の候補を検索するための検索条件をユーザから受け付ける（ステップＳ２６０１）。この際、表示部４５には検索条件を入力する目的地の設定画面が表示され、ユーザはこの画面を参照しながら操作部４６を操作することで検索条件をナビゲーション装置４に入力する。
【０１４９】
ここで、目的地の設定処理について設定画面の例を用いて説明する。図２７は、ナビゲーション装置４の目的地の設定画面の例を示す図である。目的地の設定画面には、種々の検索条件を選択するボタンが配置されている。ユーザは、これらの検索条件を選択する画面の中から１以上の条件を選択して目的地の候補を絞りこむことができる。
【０１５０】
例えば、「５０音で探す」「住所で探す」「電話番号で探す」を選択するとテキスト又は数字の入力画面に遷移し、検索ワード又は数字を入力して検索することができる。「周辺施設で探す」や「履歴で探す」を選択すると地図上に施設が表示された画面や、履歴一覧が表示された画面に遷移して、目的地を選択することができる。また、「天気で探す」を選択すると、目的地として抽出する天気を選択する画面に遷移して、天気を検索条件とすることができる。
【０１５１】
なお、本実施の形態は、天気（気象情報）を考慮して目的地を設定するものであるため、検索条件には少なくとも天気が含まれるものとし、他の検索条件と適宜組み合わせて目的地が設定される。
【０１５２】
図２６に戻り、目的地設定部４１ａは、受け付けた検索条件に基づいて目的地の候補を抽出する（ステップＳ２６０２）。この場合の目的地の候補は、天気以外の検索条件に基づいて抽出される。天気による検索は、後述する目的地の到着時刻を算出した後に行う必要があるためである。したがって、目的地設定部４１ａは。まずは検索ワード等の他の検索条件に該当する目的地を候補として抽出する。
【０１５３】
次に、経路案内部４１ｂは、候補として抽出された各目的地までの経路を導出する（ステップＳ２６０３）。経路案内部４１ｂは、予め設定されている条件又はユーザがその場で設定した条件に基づいて経路を導出する。これら条件とは、高速道路の使用の可否等である。
【０１５４】
そして、時刻算出部４１ｃは、候補として抽出された各目的地に到着する予想時刻を算出する（ステップＳ２６０４）。時刻算出部４１ｃは、前記導出された経路の距離や、道路の種別（一般道路又は高速道路等）、車両の走行速度等に基づいて到着予想時刻を算出する。
【０１５５】
そして、目的地設定部４１ａは、候補として抽出された目的地の絞込みを行う（ステップＳ２６０５）。すなわち、抽出された目的地候補を対象にして、さらに天気による検索を行って目的地を絞り込む。具体的には、目的地設定部４１ａは、候補として抽出された各目的地について、到着予想時刻における天気予報を記憶部４３の気象情報４３ｃから読み出し、検索条件として設定された天気と比較する。そして、目的地設定部４１ａは、設定された天気と、天気予報の天気とが一致している目的地を最終的な目的地として絞り込む。
【０１５６】
その後、目的地設定部４１ａは、絞り込まれた目的地の候補の一覧を表示部４５に表示する（ステップＳ２６０６）。ここで、目的地候補の一覧の表示画面の例を図２８に示す。図２８に示す例では、検索条件として、検索ワード「びじゅつかん」を設定し、エリアを東京２３区全域に設定している。また、目的地の到着予想時刻における天気が「晴れ」のものを検索条件として絞り込んだ結果である。
【０１５７】
図２８に示すように、各条件によって絞りこまれた目的地候補が一覧となって表示されており、目的地候補毎に天気のアイコンが表示されている。これは、到着予想時刻における天気予報と、到着予想時刻から一定時間毎の天気予報とが併せて表示されている。これにより、ユーザは、目的地に到着する際の天気のみならず、その後の天気の移り変わりをも把握することが可能になる。なお、天気予報の表示は、図２８に示すように一定時間毎の天気予報を併せて表示してもよいし、到着予想時刻の天気予報のみ表示してもよく、適宜設定可能である。
【０１５８】
そして、目的地設定部４１ａは、一覧表示された目的地候補の中から、ユーザが選択した目的地の情報を取得すると、選択された地点を目的地として設定し（ステップＳ２６０７）、目的地設定の処理を終了する。
【０１５９】
このようにして、目的地の到着予想時刻における天気を検索条件として目的地設定ができるため、ユーザは、希望する天気になると予想される地点を目的地とすることが可能になる。
【０１６０】
＜２−３．変形例＞
以上、第２の実施の形態について説明してきたが、この発明は上記第２の実施の形態に限定されるものではなく様々な変形が可能である。以下では、このような変形例について説明する。上記の各実施の形態及び以下で説明する形態を含む全ての形態は、適宜に組み合わせ可能である。
【０１６１】
上記実施の形態では、目的地を設定する際の検索条件として天気を設定して、目的地の候補を絞り込む構成について説明したが、検索条件に天気を含めずに抽出された目的地候補の中からユーザが天気予報に基づいて目的地を選択してもよい。
【０１６２】
この場合、ナビゲーション装置は、ステップＳ２６０１〜ステップＳ２６０４の処理を実行した後に、抽出した目的地の候補と、各目的地の到着予想時刻における天気予報との一覧を表示する。図２９にこの場合の表示の例を示す。
【０１６３】
図２９に示す例では、検索条件として、検索ワード「びじゅつかん」を設定し、エリアを東京２３区全域に設定している。このように、検索ワード等の検索条件のみで抽出された目的地の候補と、それらの天気予報とを一覧表示することでユーザは、各目的地の候補の天気予報を知ることができる。ユーザは、一覧の中から希望する天気に該当する目的地を選択することにより、気象情報を考慮した目的地設定が可能となる。
【０１６４】
また、上記実施の形態では、表示する天気予報として、到着予想時刻の天気予報やその後の一定時間毎の天気予報としていたが、目的地の種類に応じて表示する時間範囲を変更してもよい。
【０１６５】
例えば、滞在する時間が長い目的地の場合には、表示する天気予報の時間範囲を長くし、滞在する時間が短い場合には、表示する天気予報の時間範囲を短くする等である。具体的には、目的地がキャンプ場の場合には、表示する天気予報の時間範囲を２４時間とし、目的地が美術館の場合には、表示する天気予報の時間範囲を３時間とする等である。
【０１６６】
これらの時間範囲は、予め目的地の種類に応じて設定しておいてもよく、ユーザがその都度指定してもよい。ナビゲーション装置４は、入力された検索条件や、抽出された目的地の候補に基づいて、どの時間範囲に該当するかを判断し、該当する時間範囲の天気予報を表示する。
【０１６７】
また、目的地の種類や経路探索の結果から目的地での行動を推定し、この推定結果に応じた天気予報を表示してもよい。例えば、目的地がキャンプ場の場合や、経路探索の結果が河川に隣接している場所である場合などには、その目的地の天気予報に加えて、周辺の天気予報も表示する構成としてもよい。天気予報を表示する範囲を広げることで、河川の上流が大雨の予報である場合などに、河川が増水して危険な状況となる可能性があることを知ることができる。
【０１６８】
また、このように目的地が危険な状況となることをナビゲーション装置４が判断し、目的地の候補をユーザに提示する際に、その旨を表示する構成としてもよい。図３０にこの場合の表示の例を示す。図３０は、ユーザが検索条件を入力すると、地図情報に目的地の候補を表示して、その候補地をユーザが選択することで目的地が設定される例である。図３０に示す例では、ユーザがキャンプ場を目的地として設定している場合に、候補として抽出されたキャンプ場が目的地として不適である旨が表示されている。これは、ナビゲーション装置４が、候補として抽出されたキャンプ場に隣接する河川の上流の天気予報に基づいて、キャンプ場に到着してから所定時間後には危険な状況になると判断し、目的地とすることが不適である旨を表示している。
【０１６９】
また、上記実施の形態では、目的地の天気予報を表示する構成としているが、目的地までの経路における天気予報や走行に関連する情報を表示する構成としてもよい。図３１にこの場合の表示の例を示す。図３１に示す例では、目的地までの各地点における天気予報や、予想される走行に注意すべき旨の情報を表示している。ユーザは、この表示を参考にして、目的地の天気のみならず、途中の天気をも考慮して目的地の設定を行うことも可能である。
【０１７０】
また、上記実施の形態では、目的地の到着予想時刻の天気予報を検索条件としているが、ユーザが指定した時間の天気予報を検索条件としてもよい。この場合、指定した時間における目的地の天気予報が表示されることとなり、ユーザは、指定した時間の天気予報に基づいて目的地を設定することができる。
【０１７１】
また、上記実施の形態では、天気を検索条件として目的地の候補を絞り込んだ際に、その結果と天気予報とを併せて一覧表示しているが（図２８参照）、ユーザが天気を検索条件として設定し、目的地設定部４１ａが設定された天気に基づいて目的地を絞り込んだ場合には、単に絞り込んだ結果としての目的地の候補を表示して、天気予報の表示はしない構成としてもよい。例えば、図３２に示すような表示である。この図３２に示す表示は、図２８で表示したものと同じ検索条件で目的地の候補を絞り込んだ結果を表示したものであって、天気予報の表示をしていない例である。ユーザ自身の設定により、天気が「晴れ」の検索条件で絞り込んでいるため、表示を省略しても、ユーザは目的地の天気予報が晴れであることを把握できるためである。
【０１７２】
また、上記実施の形態では、ナビゲーション装置４にて目的地設定をする構成について説明したが、これに限定されるものではない。例えば、ナビゲーション装置４が、外部のナビゲーション機能を有するサーバ等と通信可能に構成されていて、ナビゲーション装置４が位置情報と検索条件とをサーバに送信すると、サーバが目的地設定や経路探索を行い、ナビゲーション装置にその結果を送信する構成であっても適用可能である。
【０１７３】
すなわち、この場合には、サーバが上記実施の形態で説明した目的地設定や経路探索を行うこととなり、ナビゲーション装置４は目的地設定のための入力処理と、サーバから受信した経路探索結果に基づいて経路案内とを行うこととなる。
【０１７４】
また、ナビゲーション装置４が、ユーザが所持するスマートフォン等の携帯端末と通信可能に構成されており、この携帯端末がナビゲーション機能を有する場合においても、上記サーバの場合と同様に適用可能である。この場合、携帯端末が、上記実施の形態で説明した目的地設定や経路探索の処理を行うこととなり、ナビゲーション装置４は目的地設定のための入力処理と、携帯端末から受信した経路探索結果に基づいて経路案内とを行うこととなる。
【０１７５】
また、携帯端末を中継器として使用して、ナビゲーション装置４とサーバ装置とが通信可能に構成されている場合においても同様に適用可能である。この場合、サーバが上記実施の形態で説明した目的地設定や経路探索を行い、ナビゲーション装置４は目的地設定のための入力処理と、携帯端末を介してサーバから受信した経路探索結果に基づいて経路案内とを行うこととなる。
【０１７６】
また、上記実施の形態では、車両として、一般的な自動車を例に挙げて説明したが、これに限定されるものではない。例えば、４輪の自動車の他にも、特殊車両、２輪車、自転車及び船舶にも用いることができる。特殊車両とは、例えば、トレーラーや大型トラック、バスである。また、２輪車とは、オートバイであり、スクーターも含まれる。また、自転車には、人力を動力とするものの他に、電動自転車も含まれる。また、船舶とは、船であり、大型・小型を問わない。
【０１７７】
特殊車両に用いる場合には、４輪の自動車と同様にして実現することが可能である。また、２輪車及び自転車に用いる場合は、車両に嵌め込んで使用する形式の電子機器を用いることはないため、ユーザが所持する携帯型の電子機器を用いることになる。すなわち、ユーザが所持する携帯端末に上述したナビゲーション装置の機能を持たせ、この携帯端末を用いて実現することになる。
【０１７８】
なお、到着予想時刻を算出する際に、車両の平均的な速度を用いる場合においては、自動車、２輪車及び自転車等の車両の種類によって平均的な速度が異なる。このため、本発明が異なる複数の種類の車両に対応している場合には、到着予想時刻を算出するために用いる速度として、各車両に対応した速度が記憶されている。
【０１７９】
また、船舶に用いる場合には、基本的な構成は、上記実施の形態で説明した構成と同様である。ただし、船舶の場合は、海上を航行するものであり、道路等は存在しない。このため、目的地までの経路は、海図等を用いて最適な航路を探索すればよい。また、船舶に用いる場合には、船舶が海上に存在する際に行う処理となるため、通信に携帯電話網や無線ＬＡＮなどの無線通信を使用することができない場合がある。このような場合には、衛星通信を使用すればよい。
【０１８０】
また、以上の説明では、車両を対象として説明していたが、本発明は車両を用いない構成としてもよい。例えば、ユーザが所持する携帯端末に上記ナビゲーション装置の機能を持たせ、同様の処理を行うことで、ユーザが徒歩で向かおうとしている目的地付近の天気情報を把握したり、天気を検索条件にして徒歩で向かおうとしている目的地の設定を行ったりすることができる。
【０１８１】
また、以上の説明では、目的地の設定に関して説明していたが、目的地を設定していない場合に周囲の天気予報を表示する構成としてもよい。例えば、ナビゲーション装置が、昼や夕方のドライブ（近郊の運転）を買い物であると自動的に認識し、自宅周辺や店周辺の天気予報を表示する。この際に、例えば、夕立などの天気の急変が想定される場合は、洗濯物の取り込みを促す旨の表示や音声メッセージで知らせてもよい。
【０１８２】
また、目的地の設定の有無に関わらず、走行中に雷注意報や竜巻注意情報などが発表された場合は、ナビゲーション装置がユーザに避難を促す旨の表示や音声メッセージで知らせてもよい。
【０１８３】
また、上記各実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【０１８４】
１    携帯端末
２    車両用装置
４    ナビゲーション装置
１１・２１・４１    制御部
１２・４２    位置情報取得部
１３・２２・４３    記憶部
１４・２３・４４    通信部
１５・２４・４５    表示部
１６・２６・４６    操作部
１００    情報表示システム
【図１】
2014035613.tif 000003
【図２】
2014035613.tif 000004
【図３】
2014035613.tif 000005
【図４】
2014035613.tif 000006
【図５】
2014035613.tif 000007
【図６】
2014035613.tif 000008
【図７】
2014035613.tif 000009
【図８】
2014035613.tif 000010
【図９】
2014035613.tif 000011
【図１０】
2014035613.tif 000012
【図１１】
2014035613.tif 000013
【図１２】
2014035613.tif 000014
【図１３】
2014035613.tif 000015
【図１４】
2014035613.tif 000016
【図１５】
2014035613.tif 000017
【図１６】
2014035613.tif 000018
【図１７】
2014035613.tif 000019
【図１８】
2014035613.tif 000020
【図１９】
2014035613.tif 000021
【図２０】
2014035613.tif 000022
【図２１】
2014035613.tif 000023
【図２２】
2014035613.tif 000024
【図２３】
2014035613.tif 000025
【図２４】
2014035613.tif 000026
【図２５】
2014035613.tif 000027
【図２６】
2014035613.tif 000028
【図２７】
2014035613.tif 000029
【図２８】
2014035613.tif 000030
【図２９】
2014035613.tif 000031
【図３０】
2014035613.tif 000032
【図３１】
2014035613.tif 000033
【図３２】
2014035613.tif 000034